(57)【要約】【課題】   ＳＩＬＶＥＲＬＩＧＨＴ技術を利用した、リアルタイムインタラクションが可能な１２誘導心電図の波形の測定及び情報編集システムの提供。【解決手段】 サーバと、ネットワーク相互通信プロトコルをサポートする装置と、データベースを提供する装置を含み、前記サーバがクロスプラットフォームのブラウジングを提供し、ユーザのコマンド入力または心電図レポートの閲覧に供し、ユーザは患者情報を編集または測定することができ、前記ネットワーク相互通信プロトコルの装置はＷＥＢ  ＳＥＲＶＩＣＥであり、前記サーバのコマンドを受信し、かつデータベースの装置のアシストでサーバ処理後の心電図情報をフィードバックすると共に、前記データベースを提供する装置がＨＩＳであり、ネットワーク相互通信プロトコルの装置に患者情報へのアクセスを提供し、病院内外でコンピュータを利用して患者情報の登録、検索、ブラウズ、編集を行うことを可能にする。【選択図】   図１
2011005225.tif 000002
【特許請求の範囲】
【請求項１】
リアルタイムインタラクションが可能な１２誘導心電図の波形の測定及び情報編集システムであって、クロスプラットフォームウェブブラウジングを提供するサーバと、ネットワーク相互通信プロトコルをサポートする装置と、データベースを提供する装置を含み、
前記クロスプラットフォームウェブブラウジングを提供するサーバが、ユーザによるコマンドの入力または心電図レポートの閲覧を可能にし、ユーザは患者情報を編集または測定することができ、
前記ネットワーク相互通信プロトコルをサポートする装置が、心電図ノイズの除去に用いるウェーブレット変換の装置を含み、クロスプラットフォームウェブブラウジングのサーバが下したコマンドを受信し、かつデータベースの装置のアシストにより、サーバ処理後の心電図情報をフィードバックし、
前記データベースを提供する装置が、患者情報へのアクセスをネットワーク相互通信プロトコルの装置に提供する、
ことを特徴とする、システム。
【請求項２】
請求項１に記載のシステムであって、そのうち前記クロスプラットフォームウェブブラウジングを提供するサーバが、
ホームページ構築とウェブブラウザ情報の表現を処理するハイパーテキストマークアップランゲージの装置と、
ダイナミックページの処理機能と利便利性を向上するダイナミック言語の装置と、
サーバに計算に必要な関数を提供し、目盛りを自己設定した動的カーソルスケールの補助による波形高さ、時間幅の計算、またはメッセージのアクセス編集を達成するライブラリシステムと、
を含むことを特徴とする、システム。
【請求項３】
請求項１に記載のシステムであって、そのうち前記ネットワーク相互通信プロトコルの装置の動作が、
(a) サーバのコマンドを受信し、データベースの装置から患者情報を取得するステップ、
(b) 心電図レポートの患者情報を生成し、ＸＭＬファイルに変換するステップ、
(c) ノイズ除去後、情報を集約した心電図レポート情報を前記サーバにフィードバックするステップ、
を含むことを特徴とする、システム。
【請求項４】
請求項１に記載のシステムであって、そのうち前記データベースの装置がＨＩＳであり、病院内外でいつでもどこでもコンピュータを利用して患者情報の登録、検索、ブラウズまたはユーザに対する心電図レポート上におけるリアルタイムの意見編集の提供を可能にすることを特徴とする、システム。
【請求項５】
請求項１に記載のシステムであって、そのうち前記データベースの装置が、問診・急診予約及び当日診察受付、診察情報・支払、薬袋及びカルテ閲覧・プリント、入院病床管理、入院日コントロール、看護ステーション支払、入院会計または問診・入院報告を含むことを特徴とする、システム。
【発明の詳細な説明】
【技術分野】
【０００１】
本発明はリアルタイムインタラクションが可能な１２誘導心電図の波形の測定及び情報編集システムに関する。
【背景技術】
【０００２】
従来の臨床１２誘導心電図(１２−ＬＥＡＤ  ＥＣＧ)のブラウジングはユーザが自ら研究開発したブラウジングインターフェースまたはＨＴＭＬ、ＡＳＰ．ＮＥＴウェブ言語を通して１２誘導心電図レポートを閲覧するもので、例えば台湾特許公報Ｍ３４９５１６号、２００６１５７９２号、Ｉ２５１１５５号など、は自ら研究開発したブラウザを使用しているが、その欠点はブラウズできるだけで、ユーザとインタラクティブな行為ができず、ヒューマンマシンインターフェースのインタラクションに欠ける点であり、共通の欠点は次のとおりである：
現在の心電図の電子化は、紙で出力した心電図レポートを電子化してコンピュータモニタに表示し、且つ電子ファイル管理するだけである。
臨床医師は肉眼で心電図波形の変化を観察しなければならず、例えば一区間の波形の高さ、一区間の波形の幅及び一区間の波形の斜度などを診断の根拠にするが、肉眼での観察には誤差があり、効率にも改善が必要で、完全に人工知能で波形の抽出を行っても、実際の臨床上に応用することはできない。
【発明の概要】
【発明が解決しようとする課題】
【０００３】
本発明の目的は、ＳＩＬＶＥＲＬＩＧＨＴ技術を利用し、その他システムを使用して心電図レポートを作成する従来方式とは異なる、インタラクティブ型の心電図レポートを通して、医療関係者が紙の上に意見を書き込むのではなく、直接レポート上に書き込むことができるようにした、リアルタイムインタラクションが可能な１２誘導心電図の波形の測定及び情報編集システムを提供することにある。
【課題を解決するための手段】
【０００４】
本発明のリアルタイムインタラクションが可能な１２誘導心電図の波形の測定及び情報編集システムは、サーバと、ネットワーク相互通信プロトコルをサポートする装置と、データベースを提供する装置を含み、前記サーバがクロスプラットフォームのブラウジングを提供し、ユーザのコマンド入力または心電図レポートの閲覧に供し、ユーザは患者情報を編集または測定することができ、前記ネットワーク相互通信プロトコルをサポートする装置はＷＥＢ  ＳＥＲＶＩＣＥであり、前記クロスプラットフォームウェブブラウジングを提供するサーバが下したコマンドを受信することができ、かつデータベースの装置のアシストにより、サーバ処理後の心電図情報をフィードバックすると共に、前記データベースを提供する装置がＨＩＳであり、ネットワーク相互通信プロトコルの装置に患者情報へのアクセスを提供し、病院内外でいつでもどこでもコンピュータを利用して患者情報の登録、検索、ブラウズ、編集を行うことを可能にし、そのうち、前記患者情報の編集が、ユーザに心電図レポート上のリアルタイムの意見編集を提供する。
【０００５】
本発明のクロスプラットフォームウェブブラウジングのサーバは、ＳＩＬＶＥＲＬＩＧＨＴウェブ技術効果を備えたサーバとすることができ、前記サーバはホームページ構築とウェブブラウザ情報の表現を処理するハイパーテキストマークアップランゲージの装置と、ダイナミックページの処理機能と利便利性を向上するダイナミック言語の装置と、サーバに計算に必要な関数を提供するライブラリシステムを含み、前記ダイナミック言語の装置はＡＳＰ．ＮＥＴであり、前記ライブラリはＣＬＩＥＮＴＢＩＮを指し、目盛りを自己設定した動的カーソルスケールの補助による波形高さ、時間幅の計算、またはメッセージのアクセス編集を達成する。
【０００６】
本発明のデータベースの装置の応用は、問診・急診予約及び当日診察受付、診察情報・支払、薬袋及びカルテ閲覧・プリント、入院病床管理、入院日コントロール、看護ステーション支払、入院会計または問診・入院報告を含む。
【０００７】
本発明のネットワーク相互通信プロトコルの装置はさらにウェーブレット変換の装置を含み、心電図のノイズ除去に用いられる。その動作は次のステップを含む。
(a) サーバのコマンドを受信し、データベースの装置から患者情報を取得するステップ、
(b) 心電図レポートの患者情報を生成し、ＸＭＬファイルに変換するステップ、
(c) ノイズ除去後、情報を集約した心電図レポート情報を前記サーバにフィードバックするステップ。
【０００８】
本発明のユーザは、医師や看護士、薬剤師、検査技師、レントゲン技師など、患者にサービスを提供する医療関係者とすることができる。
【発明の効果】
【０００９】
ＳＩＬＶＥＲＬＩＧＨＴはＷＥＢブラウザの新世代技術で、優れたベクタアニメーションや描画の能力を備えており、ユーザの体験を向上し、よりよい視覚効果を達することを目的としている。また、前述の欠点を改善することもできる。図と文章共に高品質の方式で医療関係者が使用時により直覚的に使用でき、結果を入力するために元々閲覧していた波形信号を切り替える必要がない。心電図の波形はベクタ形式で描画するため、心電図レポートを縮小または拡大したときもリアリティが失われない。その特徴を以下に示す。
心電波形図及び意見、治療戦略を統合した心電図ファイルエディタで、直接ホームページ上で心電図をブラウズでき、心電図パラメータを測定し、意見、治療方法の専門家の意見を書き込むことができる。
将来転院するとき、国内で最もよく用いられているＰｈｉｌｉｐｓ ＸＭＬ−ＥＣＧ 及び ＨＰＳＣＰ−ＥＣＧなどの心電図レポートを皆ＳＩＬＶＥＲＬＩＧＨＴ−ＥＣＧに変換でき、患者の症状、以前の意見など豊富な情報を含み、転院時の参考に便利である。
【図面の簡単な説明】
【００１０】
【図１】本発明のシステムの構成図である。
【図２】本発明のシステムの機能のフローチャートである。
【図３】本発明の波形の測定及び情報編集の概略図である。
【発明を実施するための形態】
【００１１】
図１に本発明のシステム１０の構成図を示す。本発明のリアルタイムインタラクションが可能な１２誘導心電図の波形の測定及び情報編集システムは、まず医療関係者がウェブブラウザのＳＩＬＶＥＲＬＩＧＨＴ１０７のインターフェースを使用して、サーバ１０１中のＡＳＰ．ＮＥＴサイト１０４とＨＴＭＬサイト１０５に接続し、ＳＩＬＶＥＲＬＩＧＨＴ１０７によりログインして心電図レポート情報を検索し、あらかじめコンパイルしたＳＬＩＶＥＲＬＩＧＨＴ  ＣＬＩＥＮＴＢＩＮ１０６ ライブラリで、ＣＬＩＥＮＴＢＩＮがシステムの提供するＷＥＢ  ＳＥＲＶＩＣＥ１０２を呼び出す。
【００１２】
ＷＥＢ  ＳＥＲＶＩＣＥ１０２が包含するウェーブレット変換１０８技術により、原始の心電図のノイズを除去する。同時にＷＥＢ  ＳＥＲＶＩＣＥ１０２はＨＩＳデータベース１０３と情報交換及び整理を行うことができる。
【００１３】
図２に本発明のシステム１０の機能フローチャートを示す。まず医療関係者がウェブサーバ２０５にログイン２０１し、患者の１２誘導心電図レポート２０６を検索２０２及びブラウズ２０３し、ＨＩＳデータベース１０３が検索の要求を受信した後、心電図レポートの患者情報を生成し、及びＸＭＬファイル２０７に変換し、得られたＸＭＬファイル２０８のノイズ除去２０９後、情報を集約２１０した後の心電図レポート情報をウェブサーバ２０５にフィードバックし、最後にユーザ端に表示する。医療関係者は画面上で選択した心電図信号を拡大することができ、医療関係者は判別しにくい信号の区間をはっきりと識別することができる。医療関係者はまた、本発明の提供する診断情報編集２０４機能で、心電図レポート上にリアルタイムで意見を変更することもできる。
【００１４】
図３に本発明の波形測定及び情報編集の概略図を示す。このインタラクティブ型心電図管理システムは、医療関係者が心電図レポートをブラウズすると同時に、これまでの心電図上で心電図のマス数を手作業で数え、波形の時間幅を計算する手間を改善することができる。かつマウスでクリックして選択することで該波形のそのときの波形高さ３０１動的カーソルスケールと時間幅３０２動的カーソルスケールの特性を表示することができ、より便利にシステム中で直接レポートメッセージ３０３を変更することができる。
【符号の説明】
【００１５】
１０    本発明のシステム
１０１    サーバ
１０２    ＷＥＢ  ＳＥＲＶＩＣＥ
１０３    ＨＩＳデータベース
１０４    ＡＳＰ．ＮＥＴ
１０５    ＨＴＭＬ
１０６    ＣＬＩＥＮＴＢＩＮ（ライブラリ）
１０７    ＳＩＬＶＥＲＬＩＧＨＴ
１０８    ウェーブレット変換
２０１    ログイン
２０２    検索
２０３    ブラウズ
２０４    診断情報編集
２０５    ウェブサーバ
２０６    １２誘導心電図レポート検索
２０７    患者情報の取得及びＸＭＬファイル変換
２０８    ＸＭＬファイル
２０９    ノイズ除去
２１０    情報集約
３０１    波形高さ
３０２    時間幅
３０３    メッセージ
【図１】
2011005225.tif 000003
【図２】
2011005225.tif 000004
【図３】
2011005225.tif 000005